(57)【要約】【課題】財布の中にインテリジェントキーを収納することができ、しかも、収納したままでインテリジェントキーの遠隔操作が可能になるインテリジェントキー用財布を提供する。【解決手段】紙幣を収納する札入れ部分１０の外側面に、インテリジェントキーＰを収納せしめるキー収納部２０を設ける。キー収納部２０の外側面にキー表示面２１を形成する。該キー表示面２１を介してインテリジェントキーＰを収納したままで遠隔操作できるように構成する。キー収納部２０を、収納するインテリジェントキーＰのサイズに合わせて形成する。キー表示面２１に、操作ボタンＰ１の表示を模したボタン表示部２５を操作ボタンＰ１と同じ位置に設ける。【選択図】図１
0003169000.tif 000002
【実用新案登録請求の範囲】
【請求項１】
紙幣を収納する札入れ部分の外側面に、インテリジェントキーを収納せしめるキー収納部を設けたことを特徴とするインテリジェントキー用財布。
【請求項２】
前記キー収納部は、収納するインテリジェントキーのサイズに合わせて形成され、該キー収納部の外側面にインテリジェントキーに備えられた操作ボタンを表示するキー表示面を形成し、該キー表示面を介してインテリジェントキーを収納したままで遠隔操作できるように構成した請求項１記載のインテリジェントキー用財布。
【請求項３】
前記キー表示面は、収納するインテリジェントキーの操作ボタンの表示を模したボタン表示部が操作ボタンと同じ位置に記された請求項２記載のインテリジェントキー用財布。
【請求項４】
前記キー表示面は、柔軟且つ透明な材質により形成され、収納したインテリジェントキーの操作ボタンが見えるように構成した請求項２記載のインテリジェントキー用財布。
【請求項５】
前記キー収納部は、前記札入れ部分に固定される固定片と、該固定片に重合せしめる蓋体とを皮革材にて形成され、該蓋体と固定片とにファスナーを設けて開閉自在に構成し、前記キー表示面は蓋体の表面に形成され、前記ボタン表示部は蓋体を刻設して形成された請求項１又は２記載のインテリジェントキー用財布。
【考案の詳細な説明】
【技術分野】
【０００１】
本考案は、スマートエントリー・インテリジェントキー（以下、インテリジェントキーと称する）を収納することができるインテリジェントキー用財布に係り、財布に収納したままでもインテリジェントキーを操作することができるインテリジェントキー用財布に関する。
【背景技術】
【０００２】
従来、キーを携帯しているだけで自動的に電波による認証が行われ、ドアの開鍵・施錠からエンジンの始動・停止までを可能にするキーレスシステムに使用するインテリジェントキーと称する車両用キーが提供されている（この種の車両用キーは、メーカーにより名称が異なるため、本考案ではインテリジェントキーと称する）。このインテリジェントキーを携帯しているだけで、前述のドアの施解錠、エンジン始動の外、ドアロックの開閉操作やドア自体の開閉操作などを遠隔操作により行えるものもある。
【０００３】
このインテリジェントキーは、電波の送信機能を備えていることから、一般の金属製車両用キーよりも厚く大きめのサイズになっている。特に、電池が切れた場合のことを想定し、金属製の一般の鍵（メカニカルキーあるいはエマージェンシーキーと称する）も収納しており、必要に応じて抜き出して使用できるようにしているため、金属製の一般の車両用キーと比べて数倍のサイズになっている。
【０００４】
一方、重要なキーなどを紙幣やコインと共に収納できるように構成した財布が提案されている。特許文献１に記載の財布等の携帯ケースは、物品収納部の内面部に、上方からキーを差し込んで抜き出し自在に保持することができるキー専用収納ポケットを設けたものである。この財布によると、キーを一緒に保持して携帯することができ、かつ、そのキー保持手段の構造をシンプルにして嵩張らずに済み、製造コストも抑えることができるというものである。
【０００５】
また、特許文献２には、パス入れ、財布等の携帯用袋物が記載されている。この財布では、袋物を形成する素材の３箇所に設けた切り口によって鍵を保持することができるように構成したもので、従来のキーホルダーを使用せずにキーを収納でき、しかも、安価で提供できるというものである。
【先行技術文献】
【特許文献】
【０００６】
【特許文献１】実用新案登録第３０８３７７５号公報
【特許文献２】実用新案登録第３００５６７２号公報
【考案の概要】
【考案が解決しようとする課題】
【０００７】
ところが引用文献１、２に記載されたいずれの財布においても、通常の金属製のキーを収納することは可能でも、インテリジェントキーを収納することはできない。
【０００８】
すなわち、特許文献１に記載の財布では、硬貨収納部や紙幣収納部の中に、更にキー専用収納ポケットを設けたもので、硬貨や紙幣と共にキーを収納する構成である。そのため、通常の車両キーよりも厚みやサイズが大きいインテリジェントキーを硬貨や紙幣と共に収納することは極めて困難である。
【０００９】
また、特許文献２に記載の財布は、袋物を形成する素材の所要に形成した切り込みに、キーを差し込んで保持するものであるから、通常の車両キーの数倍もあるサイズのインテリジェントキーを切り込みで保持することは更に困難になる。
【００１０】
しかも、インテリジェントキーは、選択ボタンを操作することで、ドアロックの開閉やドア自体の開閉操作を遠隔操作することも可能なタイプもある。この場合、インテリジェントキーに装備されている操作ボタンを選択して指先で押す操作が必要になる。
【００１１】
そのため、特許文献１や特許文献２の財布を設計変更し、仮にインテリジェントキーを収納できるように構成したとしても、遠隔操作をするたびに、財布からインテリジェントキーを取り出して操作することになる。したがって、インテリジェントキーの遠隔操作に多くの手間がかかるといった不都合が生じる。
【００１２】
そこで本考案は、上述の不都合を解消すべく案出されたもので、財布の中にインテリジェントキーを収納することができ、しかも、収納したままでインテリジェントキーの遠隔操作が可能になるインテリジェントキー用財布の提供を目的とするものである。
【課題を解決するための手段】
【００１３】
上述の目的を達成すべく本考案の第１の手段は、紙幣を収納する札入れ部分１０の外側面に、インテリジェントキーＰを収納せしめるキー収納部２０を設けたことにある。
【００１４】
第２の手段の前記キー収納部２０は、収納するインテリジェントキーＰのサイズに合わせて形成され、該キー収納部２０の外側面にインテリジェントキーＰに備えられた操作ボタンＰ１を表示するキー表示面２１を形成し、該キー表示面２１を介してインテリジェントキーＰを収納したままで遠隔操作できるように構成している。
【００１５】
第３の手段の前記キー表示面２１は、収納するインテリジェントキーＰの操作ボタンＰ１の表示を模したボタン表示部２５が操作ボタンＰ１と同じ位置に記されたものである。
【００１６】
第４の手段の前記キー表示面２１は、柔軟且つ透明な材質により形成され、収納したインテリジェントキーＰの操作ボタンＰ１が見えるように構成している。
【００１７】
第５の手段の前記キー収納部２０は、前記札入れ部分１０に固定される固定片２２と、該固定片２２に重合せしめる蓋体２３とを皮革材にて形成され、該蓋体２３と固定片２２とにファスナー２４を設けて開閉自在に構成し、前記キー表示面２１は蓋体２３の表面に形成され、前記ボタン表示部２５は蓋体２３を刻設して形成されたものである。
【考案の効果】
【００１８】
本考案の請求項１に記載のごとく、紙幣を収納する札入れ部分１０の外側面に、インテリジェントキーＰを収納せしめるキー収納部２０を設けたことで、通常の車両キーの数倍もあるサイズのインテリジェントキーを財布の中に収納することが可能になった。この結果、これまで別々に携帯していた財布とインテリジェントキーＰとを一つにして携帯できるので、運転手の便宜を図ることができる。
【００１９】
請求項２のように、前記キー収納部２０は、収納するインテリジェントキーＰのサイズに合わせて形成され、該キー収納部２０の外側面にインテリジェントキーＰに備えられた操作ボタンＰ１を表示するキー表示面２１を形成し、該キー表示面２１を介してインテリジェントキーＰを収納したままで遠隔操作できるように構成したことで、収納したままでインテリジェントキーの遠隔操作が可能になり、操作のたびに財布からインテリジェントキーＰを取り出す作業が不要になり、インテリジェントキーＰの操作性を損ねずに済む。
【００２０】
請求項３のごとく、前記キー表示面２１は、収納するインテリジェントキーＰの操作ボタンＰ１の表示を模したボタン表示部２５が操作ボタンＰ１と同じ位置に記されたものであるから、このボタン表示部２５が、収納したインテリジェントキーＰを示すことになる。したがって、インテリジェントキーＰをキー収納部２０に収納したままでも、遠隔操作を間違えずに行うことができる。
【００２１】
請求項４のように、キー表示面２１は、柔軟且つ透明な材質により形成され、収納したインテリジェントキーＰの操作ボタンＰ１が見えるように構成することで、収納しているインテリジェントキーＰを見ながら操作ボタンＰ１を操作できるので、より確実な操作が可能になる。また、収納したインテリジェントキーＰの操作ボタンＰ１が見えるように構成することで、収納するインテリジェントキーＰの種類を問わずに使用することも可能になる。
【００２２】
請求項５のごとく、前記キー収納部２０は、前記札入れ部分１０に固定される固定片２２と、該固定片２２に重合せしめる蓋体２３とを皮革材にて形成され、該蓋体２３と固定片２２とにファスナー２４を設けて開閉自在に構成し、前記キー表示面２１は蓋体２３の表面に形成され、前記ボタン表示部２５は蓋体２３を刻設して形成することで、収納したインテリジェントキーＰ専用の財布として提供することができる。しかも、蓋体２３を刻設してボタン表示部２５を形成することで、インテリジェントキーＰの操作性のみならず、デザイン性にも優れたものになる。
【図面の簡単な説明】
【００２３】
【図１】本考案の一実施例を示す正面図である。
【図２】本考案のキー収納部に収納した状態を示す正面図である。
【図３】本考案の使用状態を示す側面図である。
【図４】本考案の他の実施例を示す正面図である。
【考案を実施するための形態】
【００２４】
本考案によると、財布の中にインテリジェントキーを収納することができ、しかも、収納したままでインテリジェントキーの遠隔操作が可能になり、デザイン性にも優れたものになるインテリジェントキー用財布を提供することに成功したものである。
【実施例】
【００２５】
以下、本考案を図示例に基づいて説明する。本考案の基本構成は、札入れ部分１０とキー収納部２０とで構成される。
【００２６】
札入れ部分１０は、紙幣を収納する部位で、従来の財布と同様の構成を成している。すなわち、図１乃至図３には二つ折れ財布タイプの札入れ部分１０が示されており、この札入れ部分１０には、更にカード入れ１１が設けられている。また、図４には長財布タイプの札入れ部分１０が示されている。このように、本考案の札入れ部分１０の形態は任意に設定することができる。
【００２７】
キー収納部２０は、札入れ部分１０の外側面に設けられた部位で、インテリジェントキーＰを収納するように形成している（図１参照）。そして、このキー収納部２０の外側面にキー表示面２１を形成している。このキー表示面２１は、インテリジェントキーＰに備えられた操作ボタンＰ１を表示するもので、このキー表示面２１を介し、インテリジェントキーＰを収納したままで遠隔操作できるように構成している。
【００２８】
図示のキー収納部２０は、札入れ部分１０を二つに折った内側に形成している（図３参照）。このキー収納部２０の位置は図示例に限定されるものではなく、札入れ部分１０を二つに折った外側に形成することも可能であり、札入れ部分１０の外側面にキー収納部２０が一体に形成されるものであれば良い。
【００２９】
また、図示のキー収納部２０は、収納するインテリジェントキーＰのサイズに合わせて形成している（図２参照）。そして、キー表示面２１にはボタン表示部２５が形成されている。このボタン表示部２５は、収納するインテリジェントキーＰの操作ボタンＰ１の表示を模したもので、このボタン表示部２５は、操作ボタンＰ１と同じ位置に記されている（図１参照）。
【００３０】
また、キー表示面２１を、塩化ビニルのような柔軟且つ透明な材質により形成することができる（図示せず）。このような材質でキー表示面２１を形成することで、収納したインテリジェントキーＰの操作ボタンＰ１が見えるようになる。しかも、操作ボタンＰ１が見えるので、メーカーによって操作ボタンＰ１の位置が変わっていても操作可能になる利点もある。
【００３１】
図示例のキー収納部２０は、札入れ部分１０に固定される固定片２２と、該固定片２２に重合せしめる蓋体２３と、該蓋体２３と固定片２２とを皮革で形成し、さらにこれら蓋体２３と固定片２２とをファスナー２４にて開閉自在に設けたものである（図２参照）。そして、蓋体２３の表面にキー表示面２１を形成している。また、このキー表示面２１のボタン表示部２５は、蓋体２３を刻設したもので、ボタン表示部２５自体が装飾効果を有するものである。
【００３２】
尚、札入れ部分１０やキー収納部２０の構成や材質、サイズ等は図示例に限られるものではなく、本考案の要旨を変更しない範囲で自由に設計変更することができる。
【産業上の利用可能性】
【００３３】
本考案において、二つ折れ財布や長財布として説明しているが、このほか、三つ折りタイプの長財布やファスナー式の財布、あるいは小銭入れ付きの長財布や二つ折り財布など、各種の財布にも利用することが可能である。
【符号の説明】
【００３４】
Ｐ  インテリジェントキー
Ｐ１  操作ボタン
１０  札入れ部分
１１  カード入れ
２０  キー収納部
２１  キー表示面
２２  固定片
２３  蓋体
２４  ファスナー
２５  ボタン表示部
【図１】
0003169000.tif 000003
【図２】
0003169000.tif 000004
【図３】
0003169000.tif 000005
【図４】
0003169000.tif 000006